(57)【要約】【課題】障子材を構成している金属製の框本体の室内側表面を覆うようにして当該框本体に樹脂材が装着されている開口部装置であって、生産性の向上や生産コストの低減を図り易い開口部装置を提供する。【解決手段】樹脂材５０Ａを、框本体４０Ａの内周側見込面４２および外周側見込面４３で当該框本体に係合させるにあたって、外周側見込面での框本体と樹脂材との係合を、室内側への前記樹脂材の移動を制限する第１係合部５８と、外周側への前記樹脂材の移動を制限する第２係合部５９とによってなし、かつ、これら第１係合部および第２係合部を、樹脂材の一端を室内側から框本体に嵌着させることによって形成する。【選択図】    図３
2004176506.tif 000002
【特許請求の範囲】
【請求項１】
枠体と、該枠体に取り付けられた障子材とを備え、前記障子材を構成している框が、金属製の框本体と、前記框本体の室内側見付面を覆うようにして該框本体に装着された樹脂材とを有する開口部装置であって、
前記樹脂材は、前記框本体においてガラス開口が形成されている内周側見込面に形成された係止部、および前記框本体における外周側見込面に形成された係止部に係止されて該框本体と係合し、
前記外周側見込面側での前記框本体と前記樹脂材との係合が、室内側への前記樹脂材の移動を制限する第１係合部と、外周側への前記樹脂材の移動を制限する第２係合部とによってなされ、
前記樹脂材の一端を室内側から前記框本体に嵌着させて前記第１係合部および前記第２係合部を形成することができることを特徴とする開口部装置。
【発明の詳細な説明】
【０００１】
【発明の属する技術分野】
本発明は、枠体と、当該枠体に取り付けられた障子材とを備えた開口部装置に係り、特に、障子材を構成している框が、金属製の框本体と、この框本体の室内側見付面を覆うようにして当該框本体に取り付けられた樹脂材とを有する開口部装置に関する。
【０００２】
【従来の技術】
近年、建具には高い気密性、水密性、遮音性、断熱性等が求められるようになり、これらの要求を満たすために、特に窓として利用される建具の多くでは、建物に枠体を取り付け、この枠体に障子材を取り付けた構造となっている。本明細書では、枠体と当該枠体に取り付けられた障子材とを備えた建具を、「開口部装置」という。
【０００３】
上記の枠体は、一般に、アルミニウム等の金属によって形成され、障子材を構成する縦框および横框（桟）は、金属、木、または樹脂によって形成される。気密性および水密性を考慮すると、障子材の框は金属製とすることが望まれるが、金属は熱伝導率が高いため、障子材の框を金属製にすると開口部装置の断熱性が比較的低くなる。また、結露が生じ易くなる。
【０００４】
開口部装置の気密性および水密性を高く維持したまま当該開口部装置の断熱性および防露性を高める一法として、金属製の框本体の室内側見付面を覆うようにして、当該框本体に樹脂材を装着するという方法がある。
【０００５】
この方法で使用される樹脂材は、框本体と略同じ長さを有すると共に、框本体における室内側見付面の見付方向両端部、または、框本体においてガラス開口が形成されている内周側見込面のガラス開口側端部で当該框本体と互いに係合する小溝を有している。
【０００６】
框本体における上記室内側見付面の見付方向両端部で框本体に係合する小溝を有する樹脂材は、これらの小溝と框本体の室内側見付面の両端部とを係合させながら、当該樹脂材を框本体の長手方向の一端から他端に向けてスライドさせることによって框本体に装着される。一方、框本体における上記開口側端部で框本体に係合する小溝を有する樹脂材は、前記小溝と上記ガラス開口側端部とを係合させ、かつ、框本体における外周側見込面に当該樹脂材をネジ止めすることによって、框本体に装着される。
【０００７】
また、特許文献１には、障子材を構成する框を、樹脂製の框材に金属製の補強材を取り付けることによって形成した引き違いサッシが記載されている。
【０００８】
【特許文献１】
特開２０００−１９２７４６号公報
【０００９】
【発明が解決しようとする課題】
金属製の框本体の室内側見付面を覆うようにして当該框本体に樹脂材を装着するにあたって、框本体の長手方向の一端から他端に向けて樹脂材をスライドさせるためには、比較的広い作業スペースを必要とする。そのため、開口部装置を作製するために必要な各工程を集約させづらく、結果として、生産性の向上や生産コストの低減が図りにくい。
【００１０】
また、ネジ止め作業は比較的煩雑な作業であると共に、部品点数を増加させるものであるので、樹脂材を框本体に装着するにあたって当該樹脂材を框本体にネジ止めしたのでは、生産性の向上や生産コストの低減を図りにくい。
【００１１】
そこで、本発明は、障子材を構成している金属製の框本体の室内側見込面を覆うようにして当該框本体に樹脂材が装着されている開口部装置であって、生産性の向上や生産コストの低減を図り易い開口部装置を提供することを課題とする。
【００１２】
【課題を解決するための手段】
以下、本発明について説明する。以下の説明では、本発明の理解を容易にするために添付図面中の参照符号を括弧書きで付記するが、それによって本発明が図示の形態に限定されるものではない。
【００１３】
本発明の態様では、枠体（１０）と、該枠体に取り付けられた障子材（２０、３０、６０、７０、１１０、１２０）とを備え、前記障子材を構成している框が、金属製の框本体（４０Ａ、４０Ｂ、４０Ｃ、８０Ａ）と、前記框本体の室内側見付面（４９）を覆うようにして該框本体に装着された樹脂材（５０Ａ、５０Ｂ、５０Ｃ、９０Ａ）とを有する開口部装置（１００、２００）であって、前記樹脂材は、前記框本体においてガラス開口（４１）が形成されている内周側見込面（４２）に形成された係止部（４２ｃ）、および前記框本体における外周側見込面（４３）に形成された係止部（４６、４７）に係止されて該框本体と係合し、前記外周側見込面側での前記框本体と前記樹脂材との係合が、室内側への前記樹脂材の移動を制限する第１係合部（５８）と、外周側への前記樹脂材の移動を制限する第２係合部（５９）とによってなされ、前記樹脂材の一端を室内側から前記框本体に嵌着させて前記第１係合部および前記第２係合部を形成することができることを特徴とする開口部装置を提供して、上記の課題を解決する。
【００１４】
この開口部装置では、上述のように、樹脂材の一端を室内側から框本体に嵌着させることで当該樹脂材を框本体に装着させることができるので、比較的狭い作業スペースでの作業が可能であり、かつ、樹脂材の装着に要する作業量も低減させることができる。したがって、開口部装置の生産性の向上や生産コストの低減を図り易い。
【００１５】
なお、本明細書でいう「室内側」とは、開口部装置が取り付けられる実際の建造物での室内側を意味するのみならず、建造物に開口部装置を取り付ける際に室内側に向けられるべき片側をも意味する。本明細書でいう「室外側」についても同様である。
【００１６】
本発明による上述の作用および利得は、次に説明する実施の形態から明らかにされる。
【００１７】
【発明の実施の形態】
以下、本発明に係る実施形態について、図面を参照しつつ詳述する。
【００１８】
＜第１実施形態＞
図１は、第１実施形態による開口部装置１００が閉められているときに当該開口部装置１００を室内側から正面視したときの概略図である。同図に示すように、開口部装置１００は、上枠１、下枠３、および左右の縦枠５、７によって構成される枠体１０と、枠体１０に取り付けられた４枚の障子材２０、３０、６０、７０とを備えている。中央の２枚の障子材２０、３０が内障子であり、これらの障子材２０、３０の両脇の障子材６０、７０が外障子である。
【００１９】
障子材２０は、上框２１と、下框２２と、障子材３０側の縦框である合掌框２３と、障子材６０側の縦框２４と、これらの框に固定されたガラスパネル２５とを有している。同様に、障子材３０は、上框３１、下框３２、障子材２０側の縦框である合掌框３３、障子材７０側の縦框３４、およびガラスパネル３５を有し、障子材６０は、上框６１、下框６２、内障子側の縦框である第１縦框６３（この縦框は、縦框２４と召し合っているため、図１には現れていない。）、縦枠５側の縦框である第２縦框６４、およびガラスパネル６５を有している。障子材７０は、上框７１、下框７２、内障子側の縦框である第１縦框７３（この縦框は、縦框３４と召し合っているため、図１には現れていない。）、縦枠７側の縦框である第２縦框７４、およびガラスパネル７５を有している。
【００２０】
障子材２０と障子材６０との召し合わせ部には、戸締まりのためのクレセント９５が取り付けられており、障子材３０と障子材７０との召し合わせ部には、戸締まりのためのクレセント９７が取り付けられている。
【００２１】
各障子材２０、３０、６０、７０はいずれも引き戸であり、開閉するにあたっては、合掌框２３、３３の見付方向へスライドされる。図１においては、前記の見付方向を矢印Ａで示している。同図中の矢印Ｂは、各上框２１、３１、６１、７１および各下框２２、３２、６２、７２の見付方向を示している。
【００２２】
図２は、開口部装置１００を縦枠７側からみたときの枠体１０と障子材２０、６０との関係を概略的に示す。なお、図２には縦枠７が現れていない。同図に示すように、上枠１は、２本のガイドレール２ａ、２ｂを有する第１上枠１Ａと、当該第１上枠１Ａに接合されて室内側に張り出した第２上枠１Ｂとを有している。また下枠３は、２本のガイドレール４ａ、４ｂを有する第１下枠３Ａと、当該第１下枠３Ａに装着されて室内側に張り出した第２下枠３Ｂとを有している。
【００２３】
障子材２０の上部には見付方向Ａに延在する第１溝２６ａが、また、下部には見付方向Ａに延在する第２溝２６ｂが形成されており、第２溝２６ｂ内には例えば２個の戸車２７（図２においては、１個の戸車２７のみが現れている。）が取り付けられている。同様に、障子材６０の上部には見付方向Ａに延在する第１溝６６ａが、また、下部には見付方向Ａに延在する第２溝６６ｂが形成されており、第２溝６６ｂ内には例えば２個の戸車６７（図２においては、１個の戸車６７のみが現れている。）が取り付けられている。
【００２４】
障子材２０は、第１溝２６ａ内にガイドレール２ｂの下端が入り、戸車２７がガイドレール４ｂ上に載るようにして、枠体１０に取り付けられている。同様に、障子材６０は、第１溝６６ａ内にガイドレール２ａの下端が入り、戸車６７がガイドレール４ａ上に載るようにして、枠体１０に取り付けられている。
【００２５】
遮音性や気密性を高めるために、上框２１には、ガイドレール２ｂを当該ガイドレール２ｂの厚さ方向両側から挟むようにして２つの第１タイト材２８が配置され、上框６１には、ガイドレール２ａを当該ガイドレール２ａの厚さ方向両側から挟むようにして２つの第２タイト材６８が配置されている。さらに、第１縦框６３の室内側見付面には、縦框２４と召し合ったときに当該縦框２４の室外側見付面に密着する第３タイト材６９が配置されている。
【００２６】
また、断熱性および防露性を高めるために、各障子材２０、３０、６０、７０を構成する框は、障子材６０、７０における各第１縦框６３、７３を除き、アルミニウム等の金属によって形成された框本体と、框本体の室内側見付面を覆うようにして当該框本体に装着された樹脂材とを有している。第１縦框６３は縦框２４と召し合うので、当該第１縦框６３には樹脂材が装着されていない。同様に、第１縦框７３は縦框３４と召し合うので、当該第１縦框７３には樹脂材が装着されていない。図２においては、合掌框２３を構成している框本体を参照符号４０Ａで示し、当該框本体４０Ａに装着されている樹脂材を参照符号５０Ａで示している。
【００２７】
合掌框２３と合掌框３３とが合掌したときの気密性を高めるために、図示の框本体４０Ａには、例えばエラストマ製の第１気密材２９ａが設けられ、樹脂材５０Ａには、例えばエラストマ製の第２気密材２９ｂが設けられている。
【００２８】
図２には示されていないが、障子材３０の構成は、第１気密材２９ａおよび第２気密材２９ｂが共に設けられていない点を除いて、障子材２０の構成と略同様であり、障子材７０の構成は、障子材６０の構成と対称関係にある。
【００２９】
上述した構造を有する開口部装置１００は、合掌框２３、３３、縦框２４、３４、および第２縦框６４、７４の各々において、框本体と樹脂材とが特定の状態で互いに係合している点に最大の特徴を有している。以下、框本体と樹脂材との係合状態について、図３〜図５を参照しつつ詳述する。
【００３０】
図３は、合掌框２３を概略的に示す部分断面斜視図である。同図に示すように、合掌框２３を構成している框本体４０Ａでは、ガラスパネル２５（図１参照）を挿入するためのガラス開口４１が内周側見込面４２に形成されており、当該内周側見込面４２における室外側領域４２ａ（以下、「第１室外側領域４２ａ」という。）の見込は室内側領域４２ｂ（以下、「第１室内側領域４２ｂ」という。）の見込よりも狭い。
【００３１】
框本体４０Ａにおける外周側見込面４３には段差部４４が形成されており、当該外周側見込面４３の室外側領域４３ａ（以下、「第２室外側領域４３ａ」という。）は室内側領域４３ｂ（以下、「第２室内側領域４３ｂ」という。）よりも外周側（合掌框３３側）に突出している。第２室外側領域４３ａにおける室内側端部は、段差部４４よりも室内側に張り出して、室内側に向かうに従って内側表面が第２室内側領域４３ｂから離隔する第１領域と、当該第１領域に連なって室内側に突出した第２領域とを有する第１張り出し部４５を形成しており、当該第１張り出し部４５と第２室内側領域４３ｂとによって第１小溝部４６が形成されている。また、第２室内側領域４３ｂには、合掌框３３側に張り出した第２張り出し部４７が形成されている。
【００３２】
框本体４０Ａにおける室外側見付面４８の外周側（合掌框３３側）端部は、上記の第２室外側領域４３ａよりも外周側に張り出しており、当該端部の室内側には、第１気密材２９ａを装着するための気密ホール４８ａが形成されている。框本体４０Ａにおける室内側見付面４９は、上記の第１室内側領域４２ｂ、第２室内側領域４３ｂそれぞれの室内側端部間に延在している。
【００３３】
一方、合掌框２３を構成している樹脂材５０Ａは、框本体４０Ａの室内側見付面４９ならびに上記の第１室内側領域４２ｂおよび第２室内側領域４３ｂを覆うことができる形状および大きさを有する溝型部材である。この樹脂材５０Ａにおける内周側見込面５１の上部には、当該樹脂材５０Ａの内側に張り出し、かつ室内側に開口した第２小溝部５２が形成されている。
【００３４】
また、外周側見込面５３は、第１小溝部４６内に挿入されて第２室内側領域４３ｂの外表面と接する室外側領域５３ａ（以下、「第３室外側領域５３ａ」という。）と、当該第３室外側領域５３ａよりも外周側（合掌框３３側）に突出した室内側領域５３ｂ（以下、「第３室内側領域５３ｂ」という。）とを有している。第３室内側領域５３ｂの内表面には、第３室外側領域５３ａを第１小溝部４６内に挿入したときに第２張り出し部４７の室外側表面に係止される凸条部５４が形成されており、当該凸条部５４の見付方向Ａの肉厚は、室内側から室外側に向かうに従って薄くなっている。第３室内側領域５３ｂにおける室外側端部には、外周側に張り出した第３張り出し部５５が形成されており、当該第３張り出し部５５の室外側表面に第２気密材２９ｂが接合されている。
【００３５】
樹脂材５０Ａの変形を抑制するために、また、合掌框２３の断熱性および防露性を高めるために、図示の樹脂材５０Ａには、３つのスぺーサー部５６ａ、５６ｂ、５６ｃが形成されている。
【００３６】
このような構成を有する合掌框２３では、框本体４０Ａにおける端部４２ｃ、第１小溝部４６、および第２張り出し部４７が、それぞれ、当該框本体４０Ａに樹脂材５０Ａを装着するための係止部として機能する。
【００３７】
框本体４０Ａにおける外周側見込面５３では、框本体４０Ａにおける第１小溝部４６と樹脂材５０Ａにおける第３室外側領域５３ａとが互いに係合して第１係合部５８を形成し、框本体４０Ａにおける第２張り出し部４７と樹脂材５０Ａにおける凸条部５４とが互いに係合して第２係合部５９を形成している。また、框本体４０Ａにおける内周側見込面４２では、当該框本体４０Ａにおける端部４２ｃと樹脂材５０Ａにおける第２小溝部５２とが互いに係合して係合部を形成している。
【００３８】
見込方向での第１小溝部４６、第２張り出し部４７、および凸条部５４それぞれの位置を樹脂材５０Ａの剛性ないし形状保持能力に応じて適宜選定することにより、樹脂材５０Ａを室内側から框本体４０Ａに嵌着させることで、当該樹脂材５０Ａを框本体５０Ａに装着することができる。以下、図４〜図７を参照して、樹脂材５０Ａを框本体４０Ａに装着する方法について説明する。
【００３９】
樹脂材５０Ａを框本体４０Ａに固定するにあたっては、まず、図４に示すように、框本体４０Ａにおける端部４２ｃが、樹脂材５０Ａの第２小溝部５２内に挿入されるようにして、框本体４０Ａと樹脂材５０Ａとを互いに係合させる。
【００４０】
次に、図５に示すように、樹脂材５０Ａにおける第３室外側領域５３ａの先端部を框本体４０Ａにおける第１小溝部４６内に挿入して、第３室外側領域５３ａと第１小溝部４６とを弱く係合させる。この状態では、框本体４０Ａにおける第２張り出し部４７と樹脂材５０Ａにおける凸条部５４とは未だ係合していない。
【００４１】
次いで、図６に示すように、外周側見込面５３を外周側（合掌框３３（図１参照）側）に膨らませながら、第３室外側領域５３ａを第１小溝部４６内に更に深く挿入する。図示のように、樹脂材５０Ａにおける凸条部５４の肉厚を、室外側から室内側に向かうに従って徐々に厚くなるように選定することにより、第３室外側領域５３ａを第１小溝部４６内に深く挿入することが容易になる。また、第１小溝部４６を構成している第１張り出し部４５が第２領域４５ｂを有していることから、外周側見込面５３を外周側に膨らませても、第３室外側領域５３ａと第１小溝部４６との係合状態を維持し易い。
【００４２】
この後、第２張り出し部４７と凸条部５４とが図３に示したように互いに係合するまで、第３室外側領域５３ａを第１小溝部４６内に挿入する。
【００４３】
第２張り出し部４７と凸条部５４とが互いに係合するためには、図７に示すように凸条部５４が第２張り出し部４７に乗り上げ、更には第２張り出し部４７を乗り越えなくてはならないが、樹脂材５０Ａの剛性ないし形状保持能力を勘案して、第１小溝部４６の開口幅および深さ、ならびに第１小溝部４６と第２張り出し部４７との距離を適宜選定することにより、第２張り出し部４７と凸条部５４とを互いに係合させることが可能である。
【００４４】
このようにして樹脂材５０Ａを框本体４０Ａに係合させると、合掌框２３における外周側端部では、前述のように、框本体４０Ａと樹脂材５０Ａとが第１係合部５８および第２係合部５９で互いに係合されることになる。第１係合部５８によって室内側への樹脂材５０Ａの移動が制限され、第２係合部５９によって内周側および外周側への樹脂材５０Ａの移動が制限される。
【００４５】
樹脂材５０Ａを框本体４０Ａの長手方向に向けてスライドさせることなく、第１係合部５８および第２係合部５９それぞれでの框本体４０Ａと樹脂材５０Ａとの係合を解くためには、樹脂材５０Ａの外周側見込面５３を室内側からみて右斜め前方に引っ張る向きの力を働かせることが必要となるので、框本体４０Ａにおける第１室内側領域４２ｂ（端部４２ｃ）と樹脂材５０Ａにおける第２小溝部５２との係合が解けない限り、框本体４０Ａと樹脂材５０Ａとは実質的に離隔しない。
【００４６】
そして、端部４２ｃと第２小溝部５２とは、第２小溝部５２の深さを適宜選定することにより、框本体４０Ａに樹脂材５０Ａが装着された後においては樹脂材５０Ａを框本体４０Ａの長手方向にスライドさせない限り、実質的に離隔不能に係合させることができる。
【００４７】
したがって、框本体４０Ａの外周側見込面４３での当該框本体４０Ａと樹脂材５０Ａとの係合を第１係合部５８および第２係合部５９によって図ることにより、実用的な合掌框２３を容易に得ることができる。しかも、これら第１および第２係合部５８、５９は、樹脂材５０Ａの一端を室内側から框本体４０Ａに嵌着させることで形成することができるので、比較的狭い作業スペースでの作業が可能である。框本体４０Ａにおける第１張り出し部４５に、図３〜図７に示したように第１領域４５ａを設けることにより、第１係合部５８および第２係合部５９での框本体４０Ａと樹脂材５０Ａとの係合を、より確固としたものにすることができる。
【００４８】
これらの理由から、開口部装置１００では、生産性の向上や生産コストの低減を図り易い。勿論、上述した框本体４０Ａと樹脂材５０Ａとの係合形態は、他の框にも適用可能である。
【００４９】
図８は、障子材２０における縦框２４の水平断面を概略的に示す。同図に示すように、縦框２４は、金属製の框本体４０Ｂと、框本体４０Ｂの室内側見付面４９を覆うようにして框本体４０Ｂに装着された樹脂材５０Ｂとを有している。
【００５０】
縦框２４の構造は、既に説明した合掌框２３の構造と略同様であるので、合掌框２３を構成する部材ないし領域と機能上共通する部材ないし領域には図３〜図７で用いた参照符号と同じ参照符号を付して、その説明を省略する。
【００５１】
図示のように、縦框２４における框本体４０Ｂは、（１）第１張り出し部４５の外表面が、第２室外側領域４３ａの外表面と同じ平面上にある点、および、（２）室外側見付面４８が外周側（縦枠５側）に張り出しておらず、かつ、気密ホール４８ａを有していない点、を除いて、框本体４０Ａと同様の構造を有している。また、樹脂材５０Ｂは、樹脂材５０Ａと同様の構造を有している。
【００５２】
図示の構造を有する縦框２４も、前述した合掌框２３と同様の技術的効果を奏する。なお、図示してはないが、障子材３０における縦框３４の構造は、図８に示した障子材２０の縦框２４と対称関係にある。
【００５３】
図９は、互いに合掌している合掌框２３、３３の水平断面を概略的に示す。同図に示すように、合掌框３３は、金属製の框本体４０Ｃと、この框本体４０Ｃの室内側見付面４９を覆うようにして当該框本体４０Ｃに装着された樹脂材５０Ｃとを有している。
【００５４】
合掌框３３の構造は、既に説明した合掌框２３の構造と略同様であるので、合掌框２３を構成する部材ないし領域と機能上共通する部材ないし領域には図３〜図７で用いた参照符号と同じ参照符号を付して、その説明を省略する。
【００５５】
図示のように、合掌框３３における框本体４０Ｃは、（１）第１小溝部４６および第２張り出し部４７が框本体４０Ａに比べて室外側に若干寄っている点、（２）第２室外側領域４３ａに、外周側（合掌框２３側）に突出した第４張り出し部４７が形成されている点、および、（３）室外側見付面４８が外周側に張り出しておらず、かつ、気密ホール４８ａを有していない点、を除いて、框本体４０Ａと同様の構造を有している。
【００５６】
また、樹脂材５０Ｃは、第３室外側領域５３ａ、凸条部５４、および第３張り出し部５５が樹脂材５０Ａに比べて室外側に若干寄っている点を除いて、樹脂材５０Ａと同様の構造を有している。
【００５７】
合掌框２３と合掌框３３とが互いに合掌したとき、第３張り出し部５５が樹脂材５０Ｃの外周側見込面５３に当接し、室外側見付面４８の外周側端面が框本体４０Ｃに当接する。また、第３張り出し部５５が第２気密材２９ｂに当接し、第４張り出し部５７が第１気密材２９ａに当接する。
図示の構造を有する合掌框３３も、前述した合掌框２３と同様の技術的効果を奏する。
【００５８】
図１０は、障子材６０における第２縦框６４の水平断面を概略的に示す。同図に示すように、第２縦框６４は、金属製の框本体８０Ａと、框本体８０Ａの室内側見付面４９を覆うようにして当該框本体８０Ａに装着された樹脂材９０Ａとを有している。
【００５９】
第２縦框６４の構造は、既に説明した合掌框３３の構造と多少異なるが、框本体８０Ａと樹脂材９０Ａとの係合形態は合掌框３３における框本体４０Ｃと樹脂材５０Ｃとの係合形態と同様であるので、合掌框３３を構成する部材ないし領域と機能上共通する部材ないし領域には図９で用いた参照符号と同じ参照符号を付して、その説明を省略する。
【００６０】
図示のように、框本体８０Ａは、（１）内周側見込面８１の室内側縁部に、内周側（第１縦框６３（図２参照）側）に突出して係止部として機能する第５張り出し部８２が形成されている点、（２）室内側見付面４９に２段構造の段差部８３が形成されている点、および、（３）気密材６９を保持するための気密ホール８５が室外側見付面４８に形成されている点で、框本体４０Ｃと大きく異なる。
【００６１】
また、樹脂材９０Ａは、（１）框本体８０Ａの第５張り出し部８２に係合する逆Ｌ字状断面の凸部９１を有している点、（２）框本体８０Ａの段差部８３に対応する段差部９２を有している点、および、（３）外周側見込面５３が２段構造の段差部９３を有している点で、樹脂材５０Ｃと大きく異なる。
【００６２】
しかしながら、内周側（第１縦框６３側）において第５張り出し部８２と凸部９１とが係合し、外周側（縦枠５側）において第１小溝部４６と第３室外側領域５３ａとが第１係合部５８を形成すると共に第２張り出し部４７と凸条部５４とが第２係合部５９を形成するので、第２縦框６４も、前述した合掌框２３と同様の技術的効果を奏する。
【００６３】
なお、図示してはないが、障子材７０における第２縦框７４の構造は、図１０に示した障子材６０の第２縦框６４と対称関係にある。縦枠５は、図１０に示したように、障子材６０を閉めたときに気密材６９に当接されて気密性を高める気密壁５ａを有している。同様に、縦枠７も気密壁を有している。
【００６４】
＜第２実施形態＞
図１１は、第２実施形態による開口部装置２００が閉められているときに当該開口部装置２００を室内側から正面視したときの概略図である。同図に示すように、開口部装置２００は２枚の障子材１１０、１２０を有する引き違い戸であるという点で、第１実施形態の開口部装置１００と大きく異なるが、枠体およびクレセントを有するという点では共通するので、枠体およびその構成部材ならびにクレセントについては図１で用いた参照符号と同じ参照符号を付して、その説明を省略する。
【００６５】
開口部装置２００においては、右側の障子材１１０が内障子であり、左側の障子材１２０が外障子である。障子材１１０は、上框１１１と、下框１１２と、縦枠５側の縦框である第１縦框１１３と、縦枠７側の縦框である第２縦框１１４と、これらの框に固定されたガラスパネル１１５とを有している。同様に、障子材１２０は、上框１２１、下框１２２、縦枠７側の縦框である第１縦框１２３（この縦框は、縦框第１１３と召し合っているため、図１１には現れていない。）、縦枠５側の縦框である第２縦框、およびガラスパネル１２５を有している。
【００６６】
障子材１１０を構成する第１縦框１１３の構造は、図８を用いて既に説明した縦框２４の構造と同様であり、第２縦框１１４の構造は、図１０を用いて既に説明した第２縦框６４の構造と同様であるので、ここではその説明を省略する。
【００６７】
同様に、障子材１２０を構成する第２縦框１２４の構造も、図１０を用いて既に説明した第２縦框６４の構造と同様であるので、ここではその説明を省略する。障子材１２０における第１縦框１２３は樹脂材を有していない。
【００６８】
このように、開口部装置２００を構成する障子材１１０、１２０の縦框は、障子材１２０における第１縦框１２３を除き、第１実施形態の開口部装置１００における縦框２４または第２縦框６４と同様の構造を有しているので、当該開口部装置２００は、開口部装置１００と同様の技術的効果を奏する。
【００６９】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた、本発明の技術的範囲に包含されるものとして理解されなければならない。
【００７０】
例えば、障子材を構成する金属製の框本体と樹脂材との係合形態以外の構成は、作製しようとする開口部装置の用途やグレード等に応じて適宜変更可能であり、開口部装置の形態も、単体サッシ、面格子サッシ、網戸付きサッシ、雨戸付きサッシ、飾り窓、内倒し窓、すべり出し窓、出窓、ボウウィンド、扉等、適宜選択可能である。
【００７１】
また、框本体と樹脂材との係合形態も、前述した第１係合部および第２係合部を形成することができれば、第１係合部および第２係合部の形状は適宜変形可能である。
【００７２】
その他、種々の変更、改良、組み合わせ等が可能なことは当業者に自明であろう。
【００７３】
【発明の効果】
以上説明したように、本発明によれば、枠体と、該枠体に取り付けられた障子材とを備え、前記障子材を構成している框が、金属製の框本体と、前記框本体の室内側見付面を覆うようにして該框本体に装着された樹脂材とを有する開口部装置であって、樹脂材の一端を室内側から前記框本体に嵌着させることにより、框本体の外周側見込面に２つの係合部、すなわち、室内側への樹脂材の移動を制限する第１係合部と、外周側への樹脂材の移動を制限する第２係合部とを形成することができ、かつ、框本体の内周側見込面においても框本体と樹脂材とを係合させることができるので、比較的狭い作業スペースでも開口部装置ないしその部品を組み立てることができ、しかも、樹脂材の装着に要する作業量を低減させることができる。したがって、開口部装置の生産性の向上や生産コストの低減を図り易い。
【図面の簡単な説明】
【図１】第１実施形態による開口部装置が閉められているときに当該開口部装置を室内側から正面視したときの概略図である。
【図２】図１に示した開口部装置を概略的に示す部分断面側面図である。
【図３】図１に示した開口部装置を構成している合掌框を概略的に示す部分断面斜視図である。
【図４】図３に示した合掌框を組み立てる際の一工程を概略的に示す断面図である。
【図５】図３に示した合掌框を組み立てる際の他の一工程を概略的に示す断面図である。
【図６】図３に示した合掌框を組み立てる際の更に他の一工程を概略的に示す断面図である。
【図７】図３に示した合掌框を組み立てる際の更に他の一工程を概略的に示す断面図である。
【図８】図１に示した４つの障子材のうちの内障子における縦枠側の縦框を概略的に示す水平断面である。
【図９】図１に示した２つの合掌框同士が互いに合掌しているときの状態を概略的に示す水平断面である。
【図１０】図１に示した第２縦框を概略的に示す水平断面である。
【図１１】第２実施形態による開口部装置が閉められているときに当該開口部装置を室内側から正面視したときの概略図である。
【符号の説明】
１０…枠体
２０、３０、６０、７０…障子材
２１、３１、６１、７１、１１１、１２１…上框
２２、３２、６２、７２、１１２、１２２…下框
２３、３３…合掌框
２４、３４…縦框
４０Ａ、４０Ｂ、８０Ａ…框本体
４１…ガラス開口
４２、８１…内周側見込面
４２ｃ…内周側見込面におけるガラス開口側端部（係止部）
４３…外周側見込面
４６…第１小溝部（係止部）
４７…第２張り出し部（係止部）
４９…室内側見付面
５０Ａ、５０Ｂ、９０Ａ…樹脂材
５８…第１係合部
５９…第２係合部
６３、７３、１１４…第１縦框
６４、７４、１１４、１２４…第２縦框
８２…第５張り出し部（係止部）
１００、２００…開口部装置
【図１】
2004176506.tif 000003
【図２】
2004176506.tif 000004
【図３】
2004176506.tif 000005
【図４】
2004176506.tif 000006
【図５】
2004176506.tif 000007
【図６】
2004176506.tif 000008
【図７】
2004176506.tif 000009
【図８】
2004176506.tif 000010
【図９】
2004176506.tif 000011
【図１０】
2004176506.tif 000012
【図１１】
2004176506.tif 000013